(57)【要約】【課題】  重要なデータをユーザの身の回りの機器にバックアップしておくことができるウェアラブルコンピュータを提供する。【解決手段】  ウェアラブルコンピュータと、ウェアラブルコンピュータとデータ通信を行う携帯情報端末とから構成されるデータバックアップシステムにおいて、携帯情報端末が、記憶部より更新履歴及びバックアップ履歴を読み出し、バックアップ履歴が示す前回バックアップ時と、更新履歴とを比較して、バックアップ時から新たに更新されたデータを検索する。そして、該当するデータをバックアップデータとして抽出し、抽出したバックアップデータを送信する。ウェアラブルコンピュータは、このバックアップデータを受信し、バックアップデータを記憶部に書き込む。【選択図】  図５
2004318828.tif 000002
【特許請求の範囲】
【請求項１】
装着可能なコンピュータと、
該コンピュータとデータ通信を行う携帯情報端末と、を有し、
前記携帯情報端末が、
所定のデータと、該データの更新履歴と、該データのバックアップ履歴とを記憶する第１の記憶手段と、
該第１の記憶手段より前記更新履歴及び前記バックアップ履歴を読み出して、該バックアップ履歴が示す前回バックアップ時と、該更新履歴が示す前回更新時とを比較し、前回バックアップ時から新たに更新されたデータを検索し、該当するデータをバックアップデータとして抽出するバックアップデータ抽出手段と、  該抽出したバックアップデータを送信する送信手段と
を具備し、
前記コンピュータが、
該バックアップデータを受信する受信手段と、
該バックアップデータを第２の記憶手段に書き込むバックアップデータ書き込み手段と  を具備する
ことを特徴とするデータバックアップシステム。
【請求項２】
前記携帯情報端末は、さらに、バックアップデータを圧縮するデータ圧縮手段を具備し、前記送信手段は、該圧縮後のバックアップデータを送信し、
前記コンピュータは、さらに、前記受信手段が受信する該圧縮後のバックアップデータを伸張するデータ伸張手段を具備する
ことを特徴とする請求項１に記載のデータバックアップシステム。
【請求項３】
前記所定のデータ及び前記バックアップデータは、該データを示す識別子を含み、
前記バックアップデータ書き込み手段は、前記第２の記憶手段に予め記憶されたバックアップデータの識別子と、前記受信したバックアップデータの識別子とを比較し、該識別子が一致する場合は、該受信したバックアップデータを該第２の記憶手段に書き込む
ことを特徴とする請求項１に記載のデータバックアップシステム。
【請求項４】
前記第１の記憶手段は、さらに、所定の通信識別子を予め記憶し、
前記送信手段は、該通信識別子を用いて、通信接続要求を送信し、
前記コンピュータは、さらに、前記受信手段が受信する通信識別子と、前記第２の記憶手段に予め記憶された通信識別子とを比較し、該識別子が一致する場合は、前記携帯情報端末の接続を許可する認証手段を具備する
ことを特徴とする請求項１に記載のデータバックアップシステム。
【請求項５】
携帯情報端末とデータ通信を行う装着可能なコンピュータであって、  前記携帯情報端末から該携帯情報端末の通信識別子を受信する第１の受信手段と、
該受信した通信識別子と、所定の記憶手段に予め記憶された通信識別子とを比較し、該識別子が一致する場合は、前記携帯情報端末の接続を許可する認証手段と、
該認証手段の接続許可を受けて、前記携帯情報端末からバックアップデータを受信する第２の受信手段と、
該バックアップデータを前記記憶手段に書き込むバックアップデータ書き込み手段と
を具備することを特徴とするコンピュータ。
【請求項６】
装着可能なコンピュータと、
該コンピュータとデータ通信を行う携帯情報端末とを有し、
前記コンピュータが、
メール情報の入力を受ける入力手段と、
該入力されたメール情報を圧縮するデータ圧縮手段と、
該圧縮後のメール情報を送信する前記携帯端末に送信する第１の送信手段と
を具備し、
前記携帯情報端末が、
該圧縮後のメール情報を受信する受信手段と、
該受信した圧縮後のメール情報を伸張するデータ伸張手段と、
該伸張したメール情報を該メール情報が示す宛先アドレスに対して送信する第２の送信手段と
を具備する
ことを特徴とするメール送信システム。
【請求項７】
装着可能なコンピュータと、
該コンピュータとデータ通信を行う携帯情報端末とを有し、
前記コンピュータが、
送信する画像データの指定の入力を受ける入力手段と、
該指定された画像データのデータ量が予め定められた閾値以上であれば、該画像データを圧縮するデータ圧縮手段と、
該圧縮後の画像データを送信する送信手段と、
前記携帯情報端末が、
該圧縮後の画像データを受信する受信手段と、
該受信した圧縮後の画像データを伸張するデータ伸張手段と、
該伸張した画像データを所定の記憶手段に書き込む画像データ書き込み手段と  を具備する
ことを特徴とする画像情報送信システム。
【請求項８】
装着可能なコンピュータと、
該コンピュータとデータ通信を行う携帯情報端末とを有し、
前記携帯情報端末が、
送信する画像データの指定の入力を受ける入力手段と、
該指定された画像データのデータ量が予め定められた閾値以上であれば、該画像データを圧縮するデータ圧縮手段と、
該圧縮後の画像データを送信する送信手段と、
前記コンピュータが、
該圧縮後の画像データを受信する受信手段と、
該受信した圧縮後の画像データを所定の記憶手段に書き込む画像データ書き込み手段と  を具備する
ことを特徴とする画像情報送信システム。
【請求項９】
装着可能なコンピュータと、
該コンピュータとデータ通信を行う携帯情報端末とを含んで構成されるデータバックアップシステムにおいてデータをバックアップする方法であって、
前記携帯情報端末が、
所定のデータと、該データの更新履歴と、該データのバックアップ履歴とを記憶する第１の記憶手段より前記更新履歴及び前記バックアップ履歴を読み出し、  該バックアップ履歴が示す前回バックアップ時と、該更新履歴が示す前回更新時とを比較し、
前回バックアップ時から新たに更新されたデータを検索し、
該当するデータをバックアップデータとして抽出し、
該抽出したバックアップデータを送信し、
前記コンピュータが、
該バックアップデータを受信し、
該バックアップデータを第２の記憶手段に書き込む
ことを特徴とするデータバックアップ方法。
【請求項１０】
装着可能なコンピュータと、該コンピュータとデータ通信を行う携帯情報端末とを含んで構成されるデータバックアップシステムにおいて前記コンピュータにデータをバックアップする処理を実行させるためのプログラムであって、
前記携帯情報端末から該携帯情報端末の通信識別子を受信する受信処理と、
該受信した通信識別子と、所定の記憶手段に予め記憶された通信識別子とを比較し、該識別子が一致する場合は、前記携帯情報端末の接続を許可する認証処理と、
該認証手段の接続許可を受けて、前記携帯情報端末からバックアップデータを受信する受信処理と、
該バックアップデータを前記記憶手段に書き込むバックアップデータ書き込み処理と
を前記コンピュータに実行させるためのデータバックアッププログラム。
【発明の詳細な説明】
【技術分野】
【０００１】
本発明は、メガネ、衣類等に適用可能で、携帯電話、ＰＤＡ等の携帯情報端末と各種データ通信を行う装着可能なコンピュータ、及び、これを利用したデータバックアップシステム、データバックアップ方法、データバックアッププログラムに関する。
【背景技術】
【０００２】
従来、ユーザが身につける機器であって、他の情報端末と通信を行う通信機器として、例えば、携帯電話の着信の誤報知を無くし、確実に使用者に報知する技術として、特許文献１に記載された着信報知呼出装置が存在する。
【０００３】
この発明によれば、携帯電話機が着信を検知し、着信トリガ信号を着信報知信号送信機に出力し、着信報知信号送信機が、識別コードを印加した着信報知信号を作成しワイヤレスで着信報知信号受信機に送信する。着信報知信号受信機は、着信報知信号を受信し、識別コード認識部が、識別コードが一致したと判定したときのみ着信を報知する。
【０００４】
また、携帯電話装置の携帯性を損なうことなく操作性を向上させる技術として、特許文献２に記載された携帯電話機が存在する。
【０００５】
この発明によれば、携帯電話機の送受信部を嵌脱可能とし、携帯時には送受信部を携帯電話機本体から取外し、送受信部は洋服のポケット等に収納し、携帯電話機本体はカバン等に収納して運搬し、着信があった場合は、送受信部が携帯者に着信を伝達し、携帯電話装置使用時には送受信部を携帯電話機本体に装着して使用する。
【０００６】
また、携帯電話の着信報知機能を有する鞄内に収容した携帯電話の着信が周囲の迷惑にならず、且つ確実に着信を知る技術として、特許文献３に記載された鞄が存在する。
【０００７】
この発明によれば、人体に振動が伝わり得る鞄部分に、着信時の携帯電話が発する電波を受けて振動するバイブレータを配置する。
【０００８】
一方、ドットマトリクス方式液晶ディスプレイの高密度化により、上述したユーザが身につける機器であって、他の情報端末と通信を行う通信機器において、小型で高精細の画像表示が可能になった。
【０００９】
具体的には、特許文献４には、基板に、トランジスタと、このトランジスタに接続された反射電極と、この反射電極の下方に層間絶縁膜とを有し、この層間絶縁膜は、第１のシリコン酸化膜、第１のシリコン酸化膜の上に、シリコン化合物と過酸化水素との重縮合反応によって形成された第２のシリコン酸化膜、第２のシリコン酸化膜の上に形成された第３のシリコン酸化膜により形成することで、反射型の液晶パネルにおいて、反射電極に最適な反射特性を与え、視野角が広く且つ明るく高品位の反射型表示を可能にする技術が記載されている。
【００１０】
【特許文献１】特開２０００−２９５３２１号公報
【特許文献２】特開平７−１４３５５０号公報
【特許文献３】特開平１１−３１８５４０号公報
【特許文献４】特開２００１−１００１８７号公報
【発明の開示】
【発明が解決しようとする課題】
【００１１】
携帯電話の電話番号のデータは、パソコン等にバックアップすることはあるが、出先で携帯電話の元データが破損等してしまった場合、そのバックアップは、バックアップ先のパソコンを介して行うしかなく、緊急の場合に困るという問題点があった。
【００１２】
また、携帯のカメラで撮影した画像を見る時は、携帯電話のディスプレイに表示することが一般的であり、携帯電話を取り出せない状況下では、イメージを見ることができないという問題点がある。この問題は、メールに関しても同様であり、携帯電話を取り出せない，もしくは携帯電話の電源をきっておかなければいけない状況下では、メールの作成・閲覧等ができないという問題点がある。
【００１３】
本発明は、このような事情を考慮してなされたものであり、第１の目的は、重要なデータをユーザの身の回りの機器にバックアップしておくことができる装着可能なコンピュータ、データバックアップシステム及びデータバックアップ方法並びにデータバックアッププログラムを提供することにある。
【００１４】
また、本発明の第２の目的は、イメージデータやメールデータを携帯情報端末を介さずに、ユーザの身の回りの機器において作成・閲覧等することができる装着可能なコンピュータ、データバックアップシステム及びデータバックアップ方法並びにデータバックアッププログラムを提供することにある。
【課題を解決するための手段】
【００１５】
この発明は上記の課題を解決すべくなされたもので、本発明のデータバックアップシステムは、装着可能なコンピュータと、該コンピュータとデータ通信を行う携帯情報端末とを有し、前記携帯情報端末が、所定のデータと、該データの更新履歴と、該データのバックアップ履歴とを記憶する第１の記憶手段と、該第１の記憶手段より前記更新履歴及び前記バックアップ履歴を読み出して、該バックアップ履歴が示す前回バックアップ時と、該更新履歴が示す前回更新時とを比較し、前回バックアップ時から新たに更新されたデータを検索し、該当するデータをバックアップデータとして抽出するバックアップデータ抽出手段と、該抽出したバックアップデータを送信する送信手段とを具備し、前記コンピュータが、該バックアップデータを受信する受信手段と、該バックアップデータを第２の記憶手段に書き込むバックアップデータ書き込み手段とを具備することを特徴とする。
【００１６】
また、本発明のデータバックアップシステムは、前記携帯情報端末は、さらに、バックアップデータを圧縮するデータ圧縮手段を具備し、前記送信手段は、該圧縮後のバックアップデータを送信し、前記コンピュータは、さらに、前記受信手段が受信する該圧縮後のバックアップデータを伸張するデータ伸張手段を具備することを特徴とする。
【００１７】
また、本発明のデータバックアップシステムは、前記所定のデータ及び前記バックアップデータは、該データを示す識別子を含み、前記バックアップデータ書き込み手段は、前記第２の記憶手段に予め記憶されたバックアップデータの識別子と、前記受信したバックアップデータの識別子とを比較し、該識別子が一致する場合は、該受信したバックアップデータを該第２の記憶手段に書き込むことを特徴とする。
【００１８】
また、本発明のデータバックアップシステムは、前記第１の記憶手段は、さらに、所定の通信識別子を予め記憶し、前記送信手段は、該通信識別子を用いて、通信接続要求を送信し、前記コンピュータは、さらに、前記受信手段が受信する通信識別子と、前記第２の記憶手段に予め記憶された通信識別子とを比較し、該識別子が一致する場合は、前記携帯情報端末の接続を許可する認証手段を具備することを特徴とする。
【００１９】
また、本発明のコンピュータは、携帯情報端末とデータ通信を行う装着可能なコンピュータであって、前記携帯情報端末から該携帯情報端末の通信識別子を受信する第１の受信手段と、該受信した通信識別子と、所定の記憶手段に予め記憶された通信識別子とを比較し、該識別子が一致する場合は、前記携帯情報端末の接続を許可する認証手段と、該認証手段の接続許可を受けて、前記携帯情報端末からバックアップデータを受信する第２の受信手段と、該バックアップデータを前記記憶手段に書き込むバックアップデータ書き込み手段とを具備することを特徴とする。
【００２０】
また、本発明のメール送信システムは、装着可能なコンピュータと、該コンピュータとデータ通信を行う携帯情報端末とを有し、前記コンピュータが、メール情報の入力を受ける入力手段と、該入力されたメール情報を圧縮するデータ圧縮手段と、該圧縮後のメール情報を送信する前記携帯端末に送信する第１の送信手段とを具備し、前記携帯情報端末が、該圧縮後のメール情報を受信する受信手段と、該受信した圧縮後のメール情報を伸張するデータ伸張手段と、該伸張したメール情報を該メール情報が示す宛先アドレスに対して送信する第２の送信手段とを具備することを特徴とする。
【００２１】
また、本発明の画像情報送信システムは、装着可能なコンピュータと、該コンピュータとデータ通信を行う携帯情報端末とを有し、前記コンピュータが、送信する画像データの指定の入力を受ける入力手段と、該指定された画像データのデータ量が予め定められた閾値以上であれば、該画像データを圧縮するデータ圧縮手段と、該圧縮後の画像データを送信する送信手段と、前記携帯情報端末が、該圧縮後の画像データを受信する受信手段と、該受信した圧縮後の画像データを伸張するデータ伸張手段と、該伸張した画像データを所定の記憶手段に書き込む画像データ書き込み手段とを具備することを特徴とする。
【００２２】
また、本発明の画像情報送信システムは、装着可能なコンピュータと、該コンピュータとデータ通信を行う携帯情報端末とを有し、前記携帯情報端末が、送信する画像データの指定の入力を受ける入力手段と、該指定された画像データのデータ量が予め定められた閾値以上であれば、該画像データを圧縮するデータ圧縮手段と、該圧縮後の画像データを送信する送信手段と、前記コンピュータが、該圧縮後の画像データを受信する受信手段と、該受信した圧縮後の画像データを所定の記憶手段に書き込む画像データ書き込み手段とを具備することを特徴とする。
【００２３】
また、本発明のデータバックアップ方法は、装着可能なコンピュータと、該コンピュータとデータ通信を行う携帯情報端末とを含んで構成されるデータバックアップシステムにおいてデータをバックアップする方法であって、前記携帯情報端末が、所定のデータと、該データの更新履歴と、該データのバックアップ履歴とを記憶する第１の記憶手段より前記更新履歴及び前記バックアップ履歴を読み出し、該バックアップ履歴が示す前回バックアップ時と、該更新履歴が示す前回更新時とを比較し、前回バックアップ時から新たに更新されたデータを検索し、該当するデータをバックアップデータとして抽出し、該抽出したバックアップデータを送信し、前記コンピュータが、該バックアップデータを受信し、該バックアップデータを第２の記憶手段に書き込むことを特徴とする。
【００２４】
また、本発明のデータバックアッププログラムは、装着可能なコンピュータと、該コンピュータとデータ通信を行う携帯情報端末とを含んで構成されるデータバックアップシステムにおいて前記コンピュータにデータをバックアップする処理を実行させるためのプログラムであって、前記携帯情報端末から該携帯情報端末の通信識別子を受信する受信処理と、該受信した通信識別子と、所定の記憶手段に予め記憶された通信識別子とを比較し、該識別子が一致する場合は、前記携帯情報端末の接続を許可する認証処理と、該認証手段の接続許可を受けて、前記携帯情報端末からバックアップデータを受信する受信処理と、該バックアップデータを前記記憶手段に書き込むバックアップデータ書き込み処理とを前記コンピュータに実行させるためのデータバックアッププログラムである。
【発明を実施するための最良の形態】
【００２５】
１．実施形態の構成
本発明の装着可能なコンピュータは、何らかの対象に対して装着可能に構成されるコンピュータであり、例えば人体に対して着脱又は着衣可能に構成されたコンピュータ等がある。本明細書では、これ以降、装着可能なコンピュータを「ウェアラブルコンピュータ」と称することにする。
【００２６】
以下、図面を参照して、本発明のウェアラブルコンピュータ及び携帯端末を適用したデータバックアップシステムについて説明する。
【００２７】
図１は、本実施形態のウェアラブルコンピュータの構成を示す構成図である。
【００２８】
本発明のウェアラブルコンピュータは、腕時計、メガネ、ペンダント、指輪、帽子、ブレスレット、衣類等に適用可能であるが、本実施形態においては、図２に示すように、スーツ等の衣類の袖口に装着される場合の例について説明する。
【００２９】
本実施形態のウェアラブルコンピュータは、ＣＰＵ・１、ＲＯＭ・２、ＲＡＭ・３、表示パネル４、カメラ５、ＧＰＳ機能部６、ワイヤレス通信部７、スイッチ部８、電源部９，スピーカ１０，バイブレータ１１をバス２０を介して接続して構成される。
【００３０】
ＣＰＵ・１は、ＲＯＭ・２に記憶されたプログラムを読み出し、これをＲＡＭ・３に書き出して、これを実行することで各部の制御やデータ演算・加工処理を行う中央演算装置である。
【００３１】
ＲＯＭ・２は、フラッシュメモリなどの電気的に消去（書き換え）できるＲＯＭであり、後述するＣＰＵの制御プログラム及びパラメータ、具体的には、データバックアッププログラム等を予め記憶している。
【００３２】
ＲＡＭ・３は、ＣＰＵのワークメモリであって、任意のアドレスを指定して読み書きすることが可能な半導体メモリである。
【００３３】
表示パネル４は、本実施形態のウェアラブルコンピュータにおける表示部であって、ドットマトリクス方式の液晶表示パネルが用いられる。
【００３４】
カメラ５は、所定の撮像命令を受けて、ユーザが当該ウェアラブルコンピュータを向けた対象物の画像を撮像する撮像部である。
【００３５】
ＧＰＳ機能部６は、ＧＰＳ衛星との通信により、当該ウェアラブルコンピュータの現在位置を算出し、ナビゲーションシステムと連動して予め記憶された地図情報と現在位置情報とを関連付けた表示処理を実行する。
【００３６】
ワイヤレス通信部７は、無線ＬＡＮ接続、又は、ＷＰＡＮ（Ｗｉｒｅｌｅｓｓ  Ｐｅｒｓｏｎａｌ  Ａｒｅａ  Ｎｅｔｗｏｒｋ）接続により、携帯情報端末に設けられたワイヤレス通信部（後述する）とデータ通信を行う。ワイヤレス通信部７は，インターネット等の外部ネットワークと接続し、データ通信を行う。
【００３７】
スイッチ部８は、ユーザが当該ウェアラブルコンピュータの表示選択等の操作を行う操作部であって、具体的は、複数のスイッチから構成される。
【００３８】
電源部９は、ユーザが腕振り動作することにより、自ら発電・充電する自動巻き発電式の充電電池が用いられる。
【００３９】
スピーカ１０は、着信，アラーム音等を音声出力する音声出力部である。
【００４０】
バイブレータ１１は、所定の震動命令信号を受けて、当該ウェアラブルコンピュータを震動させる震動部である。
【００４１】
図３は、本実施形態の携帯情報端末の構成を示す構成図である。
【００４２】
本発明の携帯情報端末は、携帯電話、ＰＤＡ、携帯ＰＣ等に適用可能であるが、本実施形態においては、携帯電話である場合の例について説明する。
【００４３】
本実施形態の携帯情報端末は、ＣＰＵ・３１、ＲＯＭ・３２、ＲＡＭ・３３、表示パネル３４、カメラ３５、ＧＰＳ機能部３６、ワイヤレス通信部３７、携帯端末通信用送受信部３８、スイッチ部３９、電源部４０、スピーカ４１、バイブレータ４２をバス５０を介して接続して構成される。
【００４４】
ＣＰＵ・３１は、ＲＯＭ・３２に記憶されたプログラムを読み出し、これをＲＡＭ・３３に書き出して、これを実行することで各部の制御やデータ演算・加工処理を行う中央演算装置である。具体的には、ＣＰＵ・３１は、例えば、携帯電話番号データ、メールアドレスデータと、これらデータの更新履歴と、バックアップ履歴とを記憶するＲＯＭ・３２より更新履歴及びバックアップ履歴を読み出して、バックアップ履歴が示す前回バックアップ時と、更新履歴とを比較し、前回バックアップ時から新たに更新されたデータを検索する。そして、該当するデータをバックアップデータとして抽出し、抽出したバックアップデータを送信するための処理等を行う。
【００４５】
ＲＯＭ・３２は、読み出し専用のマスクＲＯＭ、あるいは、フラッシュメモリなどの電気的に消去（書き換え）できるＲＯＭ等であり、ＣＰＵの制御プログラム及びパラメータ、携帯電話番号データ、メールアドレスデータと、これらデータの更新履歴と、バックアップ履歴とを予め記憶している。
【００４６】
ＲＡＭ・３３は、ＣＰＵのワークメモリであって、任意のアドレスを指定して読み書きすることが可能な半導体メモリである。
【００４７】
表示パネル３４は、本実施形態の携帯情報端末における表示部であって、ドットマトリクス方式の液晶表示パネルが用いられる。
【００４８】
カメラ３５は、所定の撮像命令を受けて、ユーザが当該携帯情報端末を向けた対象物の画像を撮像する撮像部である。
【００４９】
ＧＰＳ機能部３６は、ＧＰＳ衛星との通信により、当該ウェアラブルコンピュータの現在位置を算出し、ナビゲーションシステムと連動して予め記憶された地図情報と現在位置情報とを関連付けた表示処理を実行する。
【００５０】
ワイヤレス通信部３７は、無線ＬＡＮ接続、又は、ＷＰＡＮ（Ｗｉｒｅｌｅｓｓ  Ｐｅｒｓｏｎａｌ  Ａｒｅａ  Ｎｅｔｗｏｒｋ）接続により、ウェアラブルコンピュータに設けられたワイヤレス通信部とデータ通信を行う。
【００５１】
携帯端末通信用送受信部３８は，音声通信や，外部ネットワークと接続し，データ通信を行う。
【００５２】
スイッチ部３９は、ユーザが当該携帯情報端末の表示選択等の操作を行う操作部であって、具体的は、複数のスイッチから構成される。
【００５３】
電源部４０は、充電式蓄電池であって、クレードルにセットされて、家庭用電源を用いて直接充電するようにしてもよい。
【００５４】
スピーカ４１は、着信音等を音声出力する音声出力部である。
【００５５】
バイブレータ４２は、所定の震動命令信号を受けて、当該携帯端末を震動させる震動部である。
【００５６】
２．実施形態の動作
以下、図面を参照して本実施形態のデータバックアップシステムにおける、ウェアラブルコンピュータ及び携帯情報端末の動作について図面を参照して説明する。
（１）認証及びデータバックアップ
図４は、本実施形態のウェアラブルコンピュータ及び携帯情報端末間における、認証処理の過程を示すフローチャート、図５、図７は、データバックアップ時における通信処理の過程を示すフローチャートである。
【００５７】
今（２００２年９月１日  １１：３０）、携帯情報端末において、ユーザがスイッチ部３９を操作して、Ｎｏ．Ｂ：４（図６の電話番号テーブルを参照）の内容Ｃを削除し、さらに、その後（２００２年１２月１２日  １０：５０）、Ｎｏ．Ｂ：２の内容Ｃを書き換えたとする。このとき、ＣＰＵ・３１は、ＲＯＭ・３２に予め記憶された図６に示す電話番号テーブルの該当箇所（内容Ｃ）をスイッチ部３９からの入力にしたがって更新し（図５のステップＳ１）、データ変更履歴（更新日時Ｄ）を更新する。
【００５８】
データ更新後、ＣＰＵ・３１は、予めＲＯＭ・３２に記憶されたパラメータが示す一定期間（例えば、１日に１回、１ヶ月に１回）毎に、ＣＰＵ・３１が実行中のバックアッププロセスからのトリガを受けて、もしくはユーザがスイッチ部３９を操作することによりバックアップ要求の入力を受けて、電話番号データ、メールアドレスデータのバックアップ処理を行う。
【００５９】
すなわち、ＣＰＵ・３１は、ユーザがスイッチ部３９を操作することにより、電話番号データのバックアップ処理を行うファンクション、あるいは、メールアドレスデータのバックアップ処理を行うファンクションの選択を受けて（ステップＳ３でＹｅｓ）、更新履歴をＲＯＭ・３２から読み出す（ステップＳ４）。
【００６０】
一方、ユーザの操作に基づくバックアップ要求がない場合であっても（ステップＳ３でＮｏ）、上記一定期間毎のデータ更新時期に該当し、トリガがかかると（ステップＳ５でＹｅｓ）、ＣＰＵ・３１は、同様に更新履歴をＲＯＭ・３２から読み出す（ステップＳ４：図７のステップＳ３０）。
【００６１】
また、ＣＰＵ・３１は、さらに、ＲＯＭ・３２よりバックアップ履歴を読み出して、バックアップ履歴が示す前回バックアップ時と、更新履歴とを比較し、更新日時が前回のバックアップ日時より後であるデータ、すなわち、前回バックアップ時（２００２年１０月１日とする）から新たに更新されたデータを検索する（ステップＳ３１）。
【００６２】
そして、該当するデータがあれば（ステップＳ３１でＹｅｓ）、ＣＰＵ・３１は、これを更新データ（＝バックアップデータ）として抽出し（図５のステップＳ６：図７のステップＳ３２）、抽出した更新データから更新日時Ｄを削除し（ステップＳ３３）、バックアップデータを作成する（ステップＳ３４）。
【００６３】
本実施形態においては、前回バックアップ時（２００２年１０月１日）から新たに更新されたデータは、Ｎｏ．Ｂ：２、４であるため（図８を参照）、ＣＰＵ・３１はこれらを抽出し（図９を参照）、さらに、更新日時Ｄを削除してバックアップデータを作成する（図１０を参照）。
【００６４】
一方、該当するデータがない場合（ステップＳ３１でＮｏ）、ＣＰＵ・３１は、更新データが存在しないため、バックアップの必要がない旨を表示パネル３４に表示してもよい（ステップＳ３５）。
【００６５】
ＣＰＵ・３１は、バックアップデータを作成すると、さらに、これをデータ圧縮し（ステップＳ７）、これにバックアップデータの識別子であるデータＩＤ（図６に示す電話番号テーブルのデータＩＤ：Ｅと同一）を付加する。
【００６６】
そして、ＣＰＵ・３１は、通信識別子である通信ＩＤ（＝旧ＩＤコード）を予め記憶するＲＯＭ・３２からこれを読み出して（ステップＳ８）、これを付加した通信要求をウェアラブルコンピュータに対して送信する（ステップＳ９）。
【００６７】
このとき、ＣＰＵ・３１は、次回ウェアラブルコンピュータとの通信において使用する通信ＩＤとして、新ＩＤコードを生成し、上記旧ＩＤコードとともに、新ＩＤコードを付加した後、上記通信要求をワイヤレス通信部３７を介して送信する（図５のステップＳ９：図４のステップＳ４１）。
【００６８】
ウェアラブルコンピュータが、ワイヤレス通信部７を介して、携帯情報端末から通信要求を受信すると（図５のステップＳ１０：図４のステップＳ４２）、ＣＰＵ・１は、ＩＤ認証を行う。すなわち、ＣＰＵ・１は、ＲＯＭ・２に予め記憶された通信ＩＤを読み出して、通信要求に付加された旧ＩＤコードと一致するか否かを判定する（図５のステップＳ１１：図４のステップＳ４３）。
【００６９】
これらが一致した場合、ＣＰＵ・１は、ウェアラブルコンピュータを認証し、接続確立を許可する信号を携帯情報端末に対して、ワイヤレス通信部７を介して送信するとともに、通信要求に付加された新ＩＤコードをＲＯＭ・２に書き込む（図４のステップＳ４４）。
【００７０】
一方、通信ＩＤと旧ＩＤコードとが一致しなかった場合、ＣＰＵ・１は、ウェアラブルコンピュータを認証せず、接続を拒否する（図５のステップＳ１２）。
【００７１】
携帯情報端末が、ワイヤレス通信部３７を介して、ウェアラブルコンピュータから接続許可信号を受信すると接続を確立し（ステップＳ１３でＹｅｓ）、ＣＰＵ・３１は、これを受けて、バックアップデータをウェアラブルコンピュータに対して、ワイヤレス通信部３７を介して送信する（ステップＳ１４）。
【００７２】
一方、予め定められた時間内に接続許可信号が受信されない場合（ステップＳ１３でＮｏ）、ＣＰＵ・３１は、接続に失敗した旨のエラーメッセージを表示パネル３４に表示する（ステップＳ１５）。
【００７３】
ウェアラブルコンピュータが、ワイヤレス通信部７を介して、携帯情報端末からバックアップデータを受信すると（図５のステップＳ１６：図１１のステップＳ５０）、ＣＰＵ・１は、これを伸張し（ステップＳ１７）、バックアップデータに基づいて、データ更新を行うか否かを判定する（ステップＳ１８）。すなわち、ＣＰＵ・１は、伸張したデータのＣＲＣチェック等によって、バックアップデータが完全なものであれば（ステップＳ１８でＹｅｓ）、ＲＯＭ・２に記憶されている電話番号テーブル（図１２を参照）を読み出して（図１１のステップＳ５１）、この電話番号テーブルのデータＩＤ：Ｅが、バックアップデータのデータＩＤと一致するか否かを判定する（図５のステップＳ１９：図１１のステップＳ５２）。
【００７４】
一方、バックアップデータが破損しているなどの場合には、ＣＰＵ・１は、更新処理を中止し（ステップＳ２０）、このバックアップデータを消去・削除する（ステップＳ２１）。
【００７５】
ＲＯＭ・２に記憶されている電話番号テーブルのデータＩＤと、バックアップデータのデータＩＤとが一致すると（図１１のステップＳ５２でＹｅｓ）、ＣＰＵ・１は、データ更新処理を開始する。すなわち、ＣＰＵ・１は、バックアップデータのＮｏ．Ｂと、ＲＯＭ・２に記憶されている電話番号テーブルのＮｏ．Ｂとの間で一致するものがあるか否かを判定し、一致するものがあれば（ステップＳ５３でＹｅｓ）、バックアップデータを用いて、ＲＯＭ・２の電話番号テーブルを上書きする（図５のステップＳ２２：図１１のステップＳ５４）。
【００７６】
本実施形態においては、図１０に示すバックアップデータを用いて、図１２に示す電話番号テーブルのＮｏ．Ｂ：２，４の部分を上書きするため、ＲＯＭ・２に記憶される電話番号テーブルは図１３に示すように内容Ｃが書き換えられる。
【００７７】
一方、上記データＩＤが一致しない場合（図５のステップＳ１９でＮｏ：図１１のステップＳ５２でＮｏ）、ＣＰＵ・１は、エラーメッセージを表示パネル４に表示する（図５のステップＳ２３：図１１のステップＳ５５）。
【００７８】
ユーザがスイッチ部８を操作することにより、バックアップデータを受け入れることを選択すると、ＣＰＵ・１は、受け入れ指示の入力をスイッチ部８より受けて（図５のステップＳ２４でＹｅｓ：図１１のステップＳ５６でＹｅｓ）、データＩＤが一致した場合と同様のデータ処理を行う（図５のステップＳ２５、Ｓ２２：図１１のステップＳ５７、Ｓ５３、Ｓ５４）。
【００７９】
一方、ユーザがスイッチ部８を操作することにより、バックアップデータを受け入れないことを選択すると、ＣＰＵ・１は、受け入れ拒否の指示の入力をスイッチ部８より受けて、データ更新処理を行わない（図５のステップＳ２４でＮｏ、Ｓ２０、Ｓ２１：図１１のステップＳ５６でＮｏ）。
【００８０】
また、バックアップデータのＮｏ．Ｂと、ＲＯＭ・２に記憶されている電話番号テーブルのＮｏ．Ｂとの間で一致するものがない場合（ステップＳ５３でＮｏ）、ＣＰＵ・１は、バックアップデータのＮｏ．Ｂに基づいて、これが新規なデータであるか否かを判定する（ステップＳ５５）。すなわち、ＣＰＵ・１は、例えば、バックアップデータのＮｏ．Ｂが新規なＮｏであれば、バックアップデータを用いて、ＲＯＭ・２の電話番号テーブルに新規電話番号データとして書き込む（図５のステップＳ２２：図１１のステップＳ５４）。
【００８１】
以上により、データ更新処理が完了すると、ＣＰＵ・１は、終了メッセージを表示パネル４に表示する（ステップＳ２６）。
【００８２】
次に、ユーザがウェアラブルコンピュータを操作して、携帯情報端末のデータをバックアップする場合における、ウェアラブルコンピュータ及び携帯情報端末の動作について説明する。図１４は、本実施形態のウェアラブルコンピュータ及び携帯情報端末間における、データバックアップ時の通信処理過程を示すフローチャートである。
【００８３】
ユーザが、ウェアラブルコンピュータのスイッチ部８を操作し、電話番号データのバックアップ処理を行うファンクション、あるいは、メールアドレスデータのバックアップ処理を行うファンクションの選択を行い、データバックアップ処理の開始を指示すると（ステップＳ６０）、ＣＰＵ・１は、通信識別子である通信ＩＤ（＝新ＩＤコード）をＲＯＭ・２より読み出して（ステップＳ６1）、これを付加した通信要求を携帯情報端末に対して送信する（ステップＳ６２）。
【００８４】
携帯情報端末が、ウェアラブルコンピュータから通信要求を受信すると（図１４のステップＳ６３：図４のステップＳ４６）、ＣＰＵ・３１は、ＩＤ認証を行う。すなわち、ＣＰＵ・３１は、ＲＯＭ・３２に予め記憶された通信ＩＤを読み出して、通信要求に付加された新ＩＤコードと一致するか否かを判定する（図１４のステップＳ６４：図４のステップＳ４７）。
【００８５】
これらが一致した場合、ＣＰＵ・３１は、ウェアラブルコンピュータを認証し、接続確立を許可する信号をウェアラブルコンピュータに対して、ワイヤレス通信部３７を介して送信する。
【００８６】
一方、通信ＩＤと新ＩＤコードとが一致しなかった場合、ＣＰＵ・３１は、携帯情報端末を認証せず、接続を拒否する（図１４のステップＳ６５：図４のステップＳ４８）。
【００８７】
ウェアラブルコンピュータが、ワイヤレス通信部７を介して、携帯情報端末から接続許可信号を受信すると、ＣＰＵ・１は接続を確立する（ステップＳ６６でＹｅｓ）。
【００８８】
一方、予め定められた時間内に接続許可信号が受信されない場合（ステップＳ６６でＮｏ）、ＣＰＵ・１は、接続に失敗した旨のエラーメッセージを表示パネル４に表示する（ステップＳ６７）。
【００８９】
ＩＤ認証後、ＣＰＵ・３１は、電話番号データ、あるいは、メールアドレスデータのバックアップ処理を開始する。すなわち、ＣＰＵ・３１は、まず更新履歴をＲＯＭ・３２から読み出す（ステップＳ６８）。次に、ＣＰＵ・３１は、さらに、ＲＯＭ・３２よりバックアップ履歴を読み出して、バックアップ履歴が示す前回バックアップ時と、更新履歴とを比較し、更新日時が前回のバックアップ日時より後であるデータ、すなわち、前回バックアップ時から新たに更新されたデータを検索する。そして、該当するデータがあれば、ＣＰＵ・３１は、これを更新データ（＝バックアップデータ）として抽出し（ステップＳ６９）、抽出した更新データから更新日時Ｄを削除し、バックアップデータを作成する。
【００９０】
一方、該当するデータがない場合、ＣＰＵ・３１は、更新データが存在しないため、バックアップの必要がない旨を表示パネル３４に表示してもよい。
【００９１】
ＣＰＵ・３１は、バックアップデータを作成すると、さらに、これをデータ圧縮し（ステップＳ７０）、これにバックアップデータの識別子であるデータＩＤを付加する。そして、ＣＰＵ・３１は、ウェアラブルコンピュータとの通信において使用する通信ＩＤとして、新ＩＤコードを生成し、旧ＩＤコードとともに、新ＩＤコードを付加した後、上記バックアップデータをワイヤレス通信部３７を介して送信する（ステップＳ７１）。
【００９２】
ウェアラブルコンピュータが、ワイヤレス通信部７を介して、携帯情報端末からバックアップデータを受信すると（ステップＳ７２）、ＣＰＵ・１は、これを伸張し（ステップＳ７３）、バックアップデータに基づいて、データ更新を行うか否かを判定する。すなわち、ＣＰＵ・１は、伸張したデータのＣＲＣチェック等によって、バックアップデータが完全なものであれば、ＲＯＭ・２に記憶されている電話番号テーブル、あるいは、メールアドレステーブルを読み出して、この電話番号テーブルのデータＩＤが、バックアップデータのデータＩＤと一致するか否かを判定する。
【００９３】
一方、バックアップデータが破損しているなどの場合には、ＣＰＵ・１は、更新処理を中止し、このバックアップデータを消去・削除する。
【００９４】
ＲＯＭ・２に記憶されている電話番号テーブル、あるいは、メールアドレステーブルのデータＩＤと、バックアップデータのデータＩＤとが一致すると、ＣＰＵ・１は、データ更新処理を開始する。すなわち、ＣＰＵ・１は、バックアップデータのＮｏ．Ｂと、ＲＯＭ・２に記憶されている電話番号テーブル、メールアドレステーブルのＮｏ．Ｂとの間で一致するものがあるか否かを判定し、一致するものがあれば、バックアップデータを用いて、ＲＯＭ・２の電話番号テーブルを上書きする（図１４のステップＳ７４）。
【００９５】
一方、上記データＩＤが一致しない場合、ＣＰＵ・１は、エラーメッセージを表示パネル４に表示する。
【００９６】
以上により、データ更新処理が完了すると、ＣＰＵ・１は、終了メッセージを表示パネル４に表示する（ステップＳ７５）。
【００９７】
次に、ユーザがウェアラブルコンピュータを操作して、電話番号データ、アドレスデータの編集をする場合において、ウェアラブルコンピュータのデータと携帯情報端末のデータとを同期させる場合の、ウェアラブルコンピュータ及び携帯情報端末の動作について説明する。図１５、図１６は、本実施形態のウェアラブルコンピュータ及び携帯情報端末間における、データ同期時の通信処理過程を示すフローチャートである。
【００９８】
ユーザが、ウェアラブルコンピュータのスイッチ部８を操作して、データ編集を行う場合（図１５のステップＳ８０）、ＣＰＵ・１は、ユーザのデータ編集を許可するデータ編集モードに入る前に、上記図１４に示すステップＳ６０〜Ｓ７４の処理を実行することで、携帯情報端末とデータを同期させる通常バックアップ処理を行う（ステップＳ８１）。
【００９９】
バックアップ処理後、ＣＰＵ・１は、データ編集モードに入り、ユーザがスイッチ部８を操作して行うデータ編集結果の入力を受け入れ（ステップＳ８２）、新データＩＤをこれに付与し（ステップＳ８３）、ＲＯＭ・２に書き込む（ステップＳ８４）。
【０１００】
次に、ＣＰＵ・１は、新たに編集したデータのみをＲＯＭ・２より読み出して（ステップＳ８５）、データ転送処理を開始する（ステップＳ８６）。すなわち、ＣＰＵ・１は、通信識別子である通信ＩＤ（＝新ＩＤコード）をＲＯＭ・２より読み出して（ステップＳ８７）、これを付加した通信要求を携帯情報端末に対して送信する（ステップＳ８８）。
【０１０１】
携帯情報端末が、ウェアラブルコンピュータから通信要求を受信すると（図１６のステップＳ１１０）、ＣＰＵ・３１は、ＩＤ認証を行う（ステップＳ１１１）。すなわち、ＣＰＵ・３１は、ＲＯＭ・３２に予め記憶された通信ＩＤを読み出して、通信要求に付加された新ＩＤコードと一致するか否かを判定する。
【０１０２】
これらが一致した場合（ステップＳ１１１でＹｅｓ）、ＣＰＵ・３１は、ウェアラブルコンピュータを認証し、接続確立を許可する信号をウェアラブルコンピュータに対して、ワイヤレス通信部３７を介して送信する。
【０１０３】
一方、これらが一致しない場合（ステップＳ１１１でＮｏ）、ＣＰＵ・３１は、接続を拒否する（ステップＳ１１２）。
【０１０４】
ウェアラブルコンピュータが、ワイヤレス通信部７を介して、携帯情報端末から接続許可信号を受信すると、ＣＰＵ・１は接続を確立する（ステップＳ８９でＹｅｓ）。
【０１０５】
一方、予め定められた時間内に接続許可信号が受信されない場合（ステップＳ８９でＮｏ）、ＣＰＵ・１は、予め定められた接続試行回数Ｎを読み出して（ステップＳ９０）、現在の接続試行回数がＮに達していない場合は、再度、通信識別子である通信ＩＤ（＝新ＩＤコード）をＲＯＭ・２より読み出し、これを付加した通信要求を携帯情報端末に対して送信する。
【０１０６】
接続が確立された場合（ステップＳ９１でＹｅｓ）、ＣＰＵ・１は、編集データの転送を開始する（ステップＳ９２）。
【０１０７】
携帯情報端末が、バックアップデータ（図１７を参照）を受信すると（図１６のステップＳ１１３）、ＣＰＵ・３１は、これを伸張し（ステップＳ１１４）、バックアップデータに基づいて、データ更新を行うか否かを判定する。すなわち、ＣＰＵ・３１は、伸張したデータのＣＲＣチェック等によって、バックアップデータが完全なものであれば、ＲＯＭ・３２に記憶されている電話番号テーブル（図１８を参照）、あるいは、メールアドレステーブルを読み出して（ステップＳ１１５）、データ更新処理を開始する。すなわち、ＣＰＵ・３１は、バックアップデータのＮｏ．Ｂと、ＲＯＭ・３２に記憶されている電話番号テーブル、メールアドレステーブルのＮｏ．Ｂとの間で一致するものがあるか否かを判定し、一致するものがあれば、バックアップデータを用いて、ＲＯＭ・３２の電話番号テーブルを上書きする（ステップＳ１１６、Ｓ１１７）。
【０１０８】
本実施形態においては、データ転送日（２００２年１２月２０日  ９時３０分）に更新されたデータは、Ｎｏ．Ｂ：２、４であるため（図１７を参照）、ＣＰＵ・３１は、ＲＯＭ・３２が記憶している電話番号テーブルデータＩＤ、内容Ｃ、更新日時Ｄを変更する。
【０１０９】
以上によって、データ転送が完了すると、ＣＰＵ・１は、終了メッセージを表示パネル４に表示し（ステップＳ９３）、待機状態に戻る（ステップＳ９４）。
【０１１０】
一方、予め定められた時間内に接続許可信号が受信されない場合（ステップＳ９１でＮｏ）、ＣＰＵ・１は、現在の接続試行回数ｎを１インクリメントする（ステップＳ９５）。そして、インクリメント後の接続試行回数ｎがＮ以下である場合（ステップＳ９６でＹｅｓ）、ＣＰＵ・１は、再度ステップＳ８８〜Ｓ９３における処理を繰り返す。
【０１１１】
一方、インクリメント後の接続試行回数ｎがＮを超える場合（ステップＳ９６でＮｏ）、ＣＰＵ・１は、接続に失敗した旨のエラーメッセージを表示パネル４に表示し（ステップＳ９７）、待機状態に戻る（ステップＳ９８）。
【０１１２】
待機状態において、ウェアラブルコンピュータが、ワイヤレス通信部７を介して、携帯情報端末からバックアップデータを受信すると（ステップＳ９９）、ＣＰＵ・１は、これを伸張し、バックアップデータに基づいて、データ更新を行うか否かを判定する。すなわち、ＣＰＵ・１は、伸張したデータのＣＲＣチェック等によって、バックアップデータが完全なものであれば、ＲＯＭ・２に記憶されている電話番号テーブル、あるいは、メールアドレステーブルを読み出して、この電話番号テーブルのデータＩＤが、バックアップデータのデータＩＤと一致するか否かを判定する（ステップＳ１００）。
【０１１３】
一方、バックアップデータが破損しているなどの場合には、ＣＰＵ・１は、更新処理を中止し、このバックアップデータを消去・削除する。
【０１１４】
ＲＯＭ・２に記憶されている電話番号テーブル、あるいは、メールアドレステーブルのデータＩＤと、バックアップデータのデータＩＤとが一致すると（ステップＳ１００でＹｅｓ）、ＣＰＵ・１は、データ更新処理を開始する。すなわち、ＣＰＵ・１は、バックアップデータのＮｏ．Ｂと、ＲＯＭ・２に記憶されている電話番号テーブル、メールアドレステーブルのＮｏ．Ｂとの間で一致するものがあるか否かを判定し、一致するものがあれば、バックアップデータを用いて、ＲＯＭ・２の電話番号テーブルを上書きする（ステップＳ１０１）。
【０１１５】
一方、上記データＩＤが一致しない場合（ステップＳ１００でＮｏ）、ＣＰＵ・１は、編集データが反映されていない旨のエラーメッセージを表示パネル４に表示する（ステップＳ１０２）。
【０１１６】
ユーザがスイッチ部８を操作することにより、バックアップデータを受け入れることを選択すると、ＣＰＵ・１は、受け入れ指示の入力をスイッチ部８より受けて（ステップＳ１０３でＹｅｓ）、データＩＤが一致した場合と同様のデータ処理を行う（ステップＳ１０４、Ｓ１０１）。
【０１１７】
一方、ユーザがスイッチ部８を操作することにより、バックアップデータを受け入れないことを選択すると（ステップＳ１０３でＮｏ）、ＣＰＵ・１は、受け入れ拒否の指示の入力をスイッチ部８より受けて、データ更新処理を行わない（ステップＳ１０５）。
【０１１８】
以上説明したように、本実施形態のデータバックアップシステムにおける、ウェアラブルコンピュータ及び携帯情報端末によれば、携帯情報端末が記憶している重要なデータをウェアラブルコンピュータにバックアップしておくことができるため、例えば、携帯情報端末の元データが破損等してしまった場合であっても、その場でバックアップデータから元データを復元することができる効果が得られる。
【０１１９】
次に、図面を参照して本実施形態の画像情報送信システムにおける、ウェアラブルコンピュータ及び携帯情報端末の動作について図面を参照して説明する。
【０１２０】
なお、本実施携帯のウェアラブルコンピュータ及び携帯情報端末の構成は、上記データバックアップシステムにおける構成と同様であるため、説明を省略する。
【０１２１】
（２）画像情報送信
図２０は、本実施形態の携帯情報端末からウェアラブルコンピュータに対して、画像情報を転送する処理の流れを示すフローチャートである。
【０１２２】
今、携帯情報端末において、ユーザがカメラ３５を操作して、画像を撮影すると、ＣＰＵ・３１は、これを表示パネル３４に表示する。次に、ユーザが、スイッチ部３９を操作して、転送イメージとして、表示パネル３４に表示された、この画像情報を選択すると（ステップＳ１２０）、ＣＰＵ・３１は、予めＲＯＭ・３２に記憶されたウェアラブルコンピュータの表示パネル４の表現可能な解像度、色数が、表示パネル３４の表現可能な解像度、色数より低い（または少ない）場合（ステップＳ１２１でＹｅｓ）、転送イメージの解像度、色数を、バイキュービック法あるいはディザ法等により、ウェアラブルコンピュータの表示パネル４の表現可能な解像度、色数に変換する（ステップＳ１２２）。
【０１２３】
一方、表示パネル３４の表現可能な解像度、色数より高い（または多い）場合（ステップＳ１２１でＮｏ）、解像度、色数の変換は行わない。
【０１２４】
次に、転送イメージのデータ容量が、予め定められたデータ転送容量の上限値を超えている場合（ステップＳ１２３でＹｅｓ）、ＣＰＵ・３１は、さらに、転送イメージの解像度、色数を、バイキュービック法あるいはディザ法等により、削減する（ステップＳ１２４）。
【０１２５】
一方、転送イメージのデータ容量が、この上限値以内に収まっている場合（ステップＳ１２３でＹｅｓ）、転送イメージの解像度、色数の削減は行わない。
【０１２６】
そして、ＣＰＵ・３１は、この転送イメージを通信識別子である通信ＩＤ（＝旧ＩＤコード）を予め記憶するＲＯＭ・３２からこれを読み出して（ステップＳ１２５）、これを付加した通信要求をウェアラブルコンピュータに対して送信する（ステップＳ１２６）。
【０１２７】
このとき、ＣＰＵ・３１は、次回ウェアラブルコンピュータとの通信において使用する通信ＩＤとして、新ＩＤコードを生成し、上記旧ＩＤコードとともに、新ＩＤコードを付加した後、上記通信要求をワイヤレス通信部３７を介して送信する。
【０１２８】
ウェアラブルコンピュータが、ワイヤレス通信部７を介して、携帯情報端末から通信要求を受信すると（ステップＳ１２７）、ＣＰＵ・１は、ＩＤ認証を行う。すなわち、ＣＰＵ・１は、ＲＯＭ・２に予め記憶された通信ＩＤを読み出して、通信要求に付加された旧ＩＤコードと一致するか否かを判定する（ステップＳ１２８）。
【０１２９】
これらが一致した場合、ＣＰＵ・１は、携帯情報端末を認証し、接続確立を許可する信号を携帯情報端末に対して、ワイヤレス通信部７を介して送信するとともに、通信要求に付加された新ＩＤコードをＲＯＭ・２に書き込む。
【０１３０】
一方、通信ＩＤと旧ＩＤコードとが一致しなかった場合、ＣＰＵ・１は、ウェアラブルコンピュータを認証せず、接続を拒否する（ステップＳ１２９）。
【０１３１】
携帯情報端末が、ワイヤレス通信部３７を介して、ウェアラブルコンピュータから接続許可信号を受信すると、ＣＰＵ・３１は、接続を確立する（ステップＳ１３０でＹｅｓ）。
【０１３２】
そして、ＣＰＵ・３１は、転送イメージを圧縮した後（ステップＳ１３１）、ウェアラブルコンピュータに対して、ワイヤレス通信部３７を介して送信し（ステップＳ１３２）、終了メッセージを表示パネル３４に表示する。
【０１３３】
一方、予め定められた時間内に接続許可信号が受信されない場合（ステップＳ１３０でＮｏ）、ＣＰＵ・３１は、接続に失敗した旨のエラーメッセージを表示パネル３４に表示する（ステップＳ１３３）。
【０１３４】
ウェアラブルコンピュータが、ワイヤレス通信部７を介して、携帯情報端末から転送イメージ（＝画像情報）を受信すると（ステップＳ１３４）、ＣＰＵ・１は、これを伸張し、これをＲＯＭ・２に書き込むとともに（ステップＳ１３５）、表示パネル４にこれを表示する。
【０１３５】
次に、ウェアラブルコンピュータから携帯情報端末へ画像情報を送信する場合における、ウェアラブルコンピュータ及び携帯情報端末の動作について説明する。図２１は、本実施形態の携帯情報端末からウェアラブルコンピュータに対して、画像情報を転送する処理の流れを示すフローチャートである。
【０１３６】
今、ウェアラブルコンピュータにおいて、ユーザがカメラ５を操作して、画像を撮影すると、ＣＰＵ・１は、これを表示パネル４に表示する。次に、ユーザが、スイッチ部８を操作して、転送イメージとして、表示パネル４に表示された、この画像情報を選択すると（ステップＳ１４０）、ＣＰＵ・１は、予めＲＯＭ・３に記憶された携帯情報端末の表示パネル３４の表現可能な解像度、色数が、表示パネル４の表現可能な解像度、色数より低い（または少ない）場合（ステップＳ１４１でＹｅｓ）、転送イメージの解像度、色数を、バイキュービック法あるいはディザ法等により、携帯情報端末の表示パネル３４の表現可能な解像度、色数に変換する（ステップＳ１４２）。
【０１３７】
一方、表示パネル３４の表現可能な解像度、色数より高い（または多い）場合（ステップＳ１４１でＮｏ）、解像度、色数の変換は行わない。
【０１３８】
次に、転送イメージのデータ容量が、予め定められたデータ転送容量の上限値を超えている場合（ステップＳ１４３でＹｅｓ）、ＣＰＵ・１は、さらに、転送イメージの解像度、色数を、バイキュービック法あるいはディザ法等により、削減する（ステップＳ１４４）。
【０１３９】
一方、転送イメージのデータ容量が、この上限値以内に収まっている場合（ステップＳ１４３でＮｏ）、転送イメージの解像度、色数の削減は行わない。
【０１４０】
そして、ＣＰＵ・１は、この転送イメージを通信識別子である通信ＩＤ（＝新ＩＤコード）を予め記憶するＲＯＭ・２からこれを読み出して（ステップＳ１４５）、これを付加した通信要求を携帯情報端末に対して送信する（ステップＳ１４６）。
【０１４１】
携帯情報端末が、ワイヤレス通信部３７を介して、ウェアラブルコンピュータから通信要求を受信すると（ステップＳ１４７）、ＣＰＵ・３１は、ＩＤ認証を行う。すなわち、ＣＰＵ・３１は、ＲＯＭ・３２に予め記憶された通信ＩＤを読み出して、通信要求に付加された新ＩＤコードと一致するか否かを判定する（ステップＳ１４８）。
【０１４２】
これらが一致した場合、ＣＰＵ・３１は、ウェアラブルコンピュータを認証し、接続確立を許可する信号をウェアラブルコンピュータに対して、ワイヤレス通信部３７を介して送信する。
【０１４３】
一方、通信ＩＤと新ＩＤコードとが一致しなかった場合、ＣＰＵ・１は、ウェアラブルコンピュータを認証せず、接続を拒否する（ステップＳ１４９）。
【０１４４】
ウェアラブルコンピュータが、ワイヤレス通信部７を介して、携帯情報端末から接続許可信号を受信すると、ＣＰＵ・１は、接続を確立する（ステップＳ１５０でＹｅｓ）。
【０１４５】
そして、ＣＰＵ・１は、転送イメージを圧縮した後（ステップＳ１５１）、携帯情報端末に対して、ワイヤレス通信部７を介して送信し（ステップＳ１５２）、終了メッセージを表示パネル４に表示する。
【０１４６】
一方、予め定められた時間内に接続許可信号が受信されない場合（ステップＳ１５０でＮｏ）、ＣＰＵ・１は、接続に失敗した旨のエラーメッセージを表示パネル４に表示する（ステップＳ１５３）。
【０１４７】
携帯情報端末が、ワイヤレス通信部３７を介して、ウェアラブルコンピュータから転送イメージ（＝画像情報）を受信すると（ステップＳ１５４）、ＣＰＵ・３１は、これを伸張し（ステップＳ１５５）、これをＲＯＭ・３２に書き込むとともに（ステップＳ１５６）、表示パネル３４にこれを表示する。
【０１４８】
以上説明したように、本実施形態の画像情報送信システムによれば、データ記憶容量や転送容量に制限のあるウェアラブルコンピュータにおいても、データ容量の大きなイメージデータをバックアップしておくことができる効果が得られる。また、携帯のカメラで撮影した画像を見たい場合においても、携帯情報端末を介さずに、ウェアラブルコンピュータにおいて閲覧等することができる効果が得られる。
【０１４９】
次に、図面を参照して本実施形態のメール送信システムにおける、ウェアラブルコンピュータ及び携帯情報端末の動作について図面を参照して説明する。
【０１５０】
なお、本実施携帯のウェアラブルコンピュータ及び携帯情報端末の構成は、上記データバックアップシステムにおける構成と同様であるため、説明を省略する。
【０１５１】
（３）メール送信
図２２は、本実施形態のウェアラブルコンピュータ及び携帯情報端末間におけるメール送信処理の過程を示すフローチャートである。
【０１５２】
今、ユーザが、ウェアラブルコンピュータのスイッチ部８を操作して、メール作成・編集を行う場合（図２２のステップＳ１６０）、ＣＰＵ・１は、ユーザがスイッチ部８を操作して行うメール編集結果の入力を受けて、ＲＯＭ・２に書き込む（ステップＳ１６１）。
【０１５３】
次に、ＣＰＵ・１は、この編集したメールデータの転送処理を開始する（ステップＳ１６２）。すなわち、ＣＰＵ・１は、メールデータを圧縮した後（ステップＳ１６３）、通信識別子である通信ＩＤ（＝新ＩＤコード）をＲＯＭ・２より読み出して（ステップＳ１６４）、これを付加した通信要求を携帯情報端末に対して送信する（ステップＳ１６５）。
【０１５４】
携帯情報端末が、ウェアラブルコンピュータから通信要求を受信すると（ステップＳ１６６）、ＣＰＵ・３１は、ＩＤ認証を行う。すなわち、ＣＰＵ・３１は、ＲＯＭ・３２に予め記憶された通信ＩＤを読み出して、通信要求に付加された新ＩＤコードと一致するか否かを判定する（ステップＳ１６７）。
【０１５５】
これらが一致した場合（ステップＳ１６７でＹｅｓ）、ＣＰＵ・３１は、ウェアラブルコンピュータを認証し、接続確立を許可する信号をウェアラブルコンピュータに対して、ワイヤレス通信部３７を介して送信する。
【０１５６】
一方、これらが一致しない場合（ステップＳ１６７でＮｏ）、ＣＰＵ・３１は、接続を拒否する（ステップＳ１６８）。
【０１５７】
ウェアラブルコンピュータが、ワイヤレス通信部７を介して、携帯情報端末から接続許可信号を受信すると、ＣＰＵ・１は接続を確立し（ステップＳ１６９でＹｅｓ）、圧縮したメールデータの転送を開始する（ステップＳ１７０）。携帯情報端末へのデータ転送が完了すると、ウェアラブルコンピュータにおいて、ＣＰＵ・１は、終了メッセージを表示パネル４に表示し（ステップＳ１７１）、待機状態に戻る。
【０１５８】
一方、予め定められた時間内に接続許可信号が受信されない場合（ステップＳ１６９でＮｏ）、ＣＰＵ・１は、接続に失敗した旨のエラーメッセージを表示パネル４に表示し（ステップＳ１７２）、待機状態に戻る。
【０１５９】
携帯情報端末が、圧縮されたメールデータを受信すると（ステップＳ１７３）、ＣＰＵ・３１は、これを伸張した後（ステップＳ１７４）、ＲＯＭ・３２に書き込む（ステップＳ１７５）。
【０１６０】
そして、ユーザによりスイッチ部３９よりメール送信の命令が入ると、ＣＰＵ・３１は、携帯端末通信用送受信部３８を介してインターネット等の外部ネットワークに接続した後、伸張後のメールデータが示す宛先アドレスに対して、このメールデータを送信する（ステップＳ１７６、Ｓ１７７）。
【０１６１】
ウェアラブルコンピュータと携帯情報端末とのデータ転送が完了すると、ウェアラブルコンピュータにおいて、ＣＰＵ・１は、終了メッセージを表示パネル４に表示し（ステップＳ１７１）、待機状態に戻る。
【０１６２】
以上説明したように、本実施形態のメール送信システムによれば、ウェアラブルコンピュータにおいて、メール作成・編集を行うことができるとともに、外部ネットワークとの接続インターフェイスを備えた携帯情報端末を介して、メールデータを送信することができる効果が得られる。
【０１６３】
３．  変形例
本発明は上述した実施形態に限定されるものではなく、例えば以下のような種々の変形が可能であり、全て本発明の範疇に含まれる。
【０１６４】
上記実施形態において、ウェアラブルコンピュータが、スーツ等の衣類の袖口に装着される場合の例について説明したが、本発明は、これに限られるものではなく、上述したように、例えば、腕時計、メガネ、ペンダント、指輪、帽子、ブレスレット、衣類等に適用可能である。例えば、本発明のウェアラブルコンピュータをメガネに適用する場合、図２３に示すように、当該メガネのリムとテンプル（つる）との接合部に上記スイッチ部を設けるとともに、メガネレンズ部に表示パネルを設けることが考えられる。
【０１６５】
また、この表示パネルは、当該メガネと一体型、あるいは、図２４、図２５に示すように、脱着可能型とし、メガネレンズ部と、メガネフレーム部を分離した構成としてもよい。
【０１６６】
なお、上述したデータバックアップに関する一連の処理、メール送信に関する一連の処理、画像送信に関する一連の処理等の過程は、プログラムの形式でコンピュータ読み取り可能な記録媒体に記憶されており、このプログラムをコンピュータが読み出して実行することによって、上記処理が行われる。
【０１６７】
各処理を行うための処理部の機能を実現する為のプログラムは、それぞれ別々のプログラムモジュールにより構成してもよいし、一体化したプログラムモジュールにより構成してもよい。
【０１６８】
また、これらの機能の全部または一部を論理回路によるハードウエアで構成しても構わない。
【０１６９】
また、各プログラムモジュールは、既存のアプリケーションプログラムに組み込んで動作させてもよいし、独立のプログラムとして動作させてもよい。
【０１７０】
また、このコンピュータプログラムを通信回線によってコンピュータに配信し、この配信を受けたコンピュータが当該プログラムを実行するようにしても良い。
【０１７１】
また、「コンピュータ読み取り可能な記録媒体」とは、フレキシブルディスク、光磁気ディスク、ＲＯＭ、ＣＤ−ＲＯＭ等の可搬媒体、コンピュータサーバに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータサーバ内部の揮発メモリ（ＲＡＭ）のように、一定時間プログラムを保持しているものも含むものとする。
【０１７２】
また、上記プログラムは、このプログラムを記憶装置等に格納したコンピュータサーバから、伝送媒体を介して、あるいは、伝送媒体中の伝送波により他のコンピュータサーバに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【０１７３】
また、上記プログラムは、前述した機能の一部を実現する為のものであっても良い。さらに、前述した機能をコンピュータサーバに既に記録されているプログラムとの組み合わせで実現できるもの、いわゆる差分ファイル（差分プログラム）であっても良い。
【図面の簡単な説明】
【０１７４】
【図１】本実施形態のウェアラブルコンピュータの構成を示すブロック図である。
【図２】スーツ等の衣類の袖口に装着される場合のウェアラブルコンピュータの外観を示す説明図である。
【図３】本実施形態の携帯情報端末の構成を示すブロック図である。
【図４】本実施形態のウェアラブルコンピュータ及び携帯情報端末間における、認証処理の過程を示すフローチャートである。
【図５】データバックアップ時における通信処理の過程を示すフローチャートである。
【図６】携帯情報端末に記憶された電話番号テーブルのデータ構成を示す説明図である。
【図７】データバックアップ時における通信処理の過程を示すフローチャートである。
【図８】携帯情報端末に記憶された電話番号テーブルから更新されたデータを検索する様子を示す説明図である。
【図９】更新データから構成される電話番号テーブルを示す説明図である。
【図１０】更新データから更新日時Ｄに係るデータを削除した電話番号テーブルを示す説明図である。
【図１１】データバックアップ時における通信処理の過程を示すフローチャートである。
【図１２】ウェアラブルコンピュータに記憶された電話番号テーブルのデータ構成を示す説明図である。
【図１３】ウェアラブルコンピュータに記憶された電話番号テーブルの更新後のデータ構成を示す説明図である。
【図１４】データバックアップ時における通信処理の過程を示すフローチャートである。
【図１５】データバックアップ時における通信処理の過程を示すフローチャートである。
【図１６】データバックアップ時における通信処理の過程を示すフローチャートである。
【図１７】ウェアラブルコンピュータから受信したバックアップデータのデータ構成を示す説明図である。
【図１８】携帯情報端末が記憶する電話番号テーブルのデータ構成を示す説明図である。
【図１９】携帯情報端末に記憶された電話番号テーブルの更新後のデータ構成を示す説明図である。
【図２０】画像情報送信処理の過程を示すフローチャートである。
【図２１】画像情報送信処理の過程を示すフローチャートである。
【図２２】メール送信処理の過程を示すフローチャートである。
【図２３】メガネと一体構成のウェアラブルコンピュータの外観を示す説明図である。
【図２４】メガネと脱着可能型のウェアラブルコンピュータの外観を示す説明図である。
【図２５】ウェアラブルコンピュータの表示パネルのみを外した様子を示す説明図である。
【符号の説明】
【０１７５】
１、３１…ＣＰＵ、２、３２…ＲＯＭ、３、３３…ＲＡＭ、４、３４…表示パネル、５、３５…カメラ、６、３６…ＧＰＳ機能部、７、２７…ワイヤレス通信部、８…携帯端末通信用送受信部、９、３９…スイッチ部、１０、４０…電源部、４１…スピーカ、４２…バイブレータ。
【図１】
2004318828.tif 000003
【図２】
2004318828.tif 000004
【図３】
2004318828.tif 000005
【図４】
2004318828.tif 000006
【図５】
2004318828.tif 000007
【図６】
2004318828.tif 000008
【図７】
2004318828.tif 000009
【図８】
2004318828.tif 000010
【図９】
2004318828.tif 000011
【図１０】
2004318828.tif 000012
【図１１】
2004318828.tif 000013
【図１２】
2004318828.tif 000014
【図１３】
2004318828.tif 000015
【図１４】
2004318828.tif 000016
【図１５】
2004318828.tif 000017
【図１６】
2004318828.tif 000018
【図１７】
2004318828.tif 000019
【図１８】
2004318828.tif 000020
【図１９】
2004318828.tif 000021
【図２０】
2004318828.tif 000022
【図２１】
2004318828.tif 000023
【図２２】
2004318828.tif 000024
【図２３】
2004318828.tif 000025
【図２４】
2004318828.tif 000026
【図２５】
2004318828.tif 000027